(57)【要約】転写装置が開示されている。少なくとも１つの転写装置は、ハウジングと、ハウジングに回転可能に取り付けられた供給ロールと、ハウジングに回転可能に取り付けられた巻取ロールと、塗布ヘッドとを備えている。供給ロールは、一巻の供給ライナーを有し、ライナーは接着剤が上に提供された接着剤担持表面を有する。巻取ロールは、ライナーの少なくとも端部が結合されており、それによって、巻取方向に巻取ロールが回転すると、供給ロールから引き出された部分のライナーが巻取ロールに巻き取られるようになっている。塗布ヘッドは、互いに間隔を置いて配置されたほぼ平行な軸の周囲で回転可能な複数のローラと、装置の外側に面している転写表面を提供するように、複数のローラの周囲に位置づけられた閉ループ・ベルトを備える。
2006516931.tif 000002
【特許請求の範囲】
【請求項１】
ハウジングと、
前記ハウジングに回転可能に取り付けられ、接着剤が付与された接着剤担持表面を有するライナである一巻の供給ライナーを担持する供給ロールと、
前記ハウジングに回転可能に装架された巻取ロールであり、ライナーの少なくとも端部が結合されており、それによって、巻取方向に前記巻取ロールが回転すると、前記供給ロールから引き出された部分のライナーが前記巻取ロールに巻き取られるようになっている巻取ロールと、
互いに間隔を置いて配置されたほぼ平行な軸周りに回転可能な複数のローラ、装置の外側に面している転写表面を提要するように前記複数のローラの周囲で調整される閉ループ・ベルトであって、前記ローラの回転によりベルトを前記ローラの周囲で移動させることを可能にするベルト、および装置の外側に面した前記接着剤担持表面、および前記接着剤担持表面の反対側で前記ライナーの裏面表面に係合する前記ベルトの転写表面を備える塗布ヘッドの上で調整される、前記供給ロールと前記巻取ロールの間の前記ライナーの一部を備える塗布ヘッドとを備える転写装置であって、
前記ヘッドは、前記ベルトの上で調整された前記ライナーの前記一部上の前記接着剤担持表面を前記目標基材に係合させ、前記接着剤を前記目標基材に結合させるように圧力を加えることによって、前記接着剤を目標基材に転写させることを可能にするように、装置上に設けられており、
前記巻取ロール、前記供給ロール、および前記塗布ヘッドの前記複数のローラの回転により、前記塗布ヘッドの前記ローラの周囲で移動する前記ベルトでの前記供給ロールから前記巻取ロールまでの前記ライナーの前進を可能にして、前記塗布ヘッドの上の前記ライナーの移動を簡単にする転写装置。
【請求項２】
前記供給ロールおよび前記巻取ロールは、前記ハウジングに取外可能に取り付けられた取外可能なカートリッジ本体上に回転可能に取り付けられている請求項１に記載された転写装置。
【請求項３】
前記ベルトはシリコーン材料を含む請求項１に記載された転写装置。
【請求項４】
前記複数のローラは、ほぼ同じ寸法および構造をしている請求項１に記載された転写装置。
【請求項５】
前記ベルトの表面は、前記ライナーの裏面表面からなる材料とほぼ同じである材料を含む請求項１に記載された転写装置。
【請求項６】
前記ベルトの表面を含む材料と、前記ライナーの裏面表面を含む材料は両方ともシリコーンである請求項５に記載された転写装置。
【請求項７】
前記転写装置は無限長転写装置である請求項１に記載された転写装置。
【請求項８】
前記転写装置は限定長転写装置であり、前記転写装置はさらに、少なくとも前記巻取ロールに動作可能に連結され、前記ライナーの前進に作用する割り出し方法で前記巻取ロールを回転させるように構成された推進部材を備える請求項１に記載された転写装置。
【請求項９】
さらに、装置に配置表面を与えるように、前記塗布ヘッドに隣接して前記ハウジングの一端部に配置された位置づけ部材を備える請求項８に記載された転写装置。
【請求項１０】
前記位置づけ部材は装置から離れた非動作位置で偏倚され、前記接着剤担持表面を前記目標基材に係合させる前に、前記接着剤を転写する場合に前記配置表面を前記目標基材に係合させることが可能であり、前記位置づけ部材はその後前記ヘッドを前記接着剤担持表面と係合させることが可能なように、前記塗布ヘッドに対して内側に移動可能である請求項９に記載された転写装置。
【請求項１１】
カートリッジで使用される転写装置において、前記カートリッジは長手方向軸線を備える本体と、前記長手方向軸線上の前記本体に回転可能に取り付けられる供給ロールであって、上に接着剤が与えられた接着剤担持表面を有する巻取長さのライナーを含む供給ロールと、前記供給ロールに対して間隔を置いた関係で前記長手方向軸線上で前記本体に回転可能に取り付けられる巻取ロールであって、巻取方向の巻取ロールの回転が巻取ロールの上での前記供給ロールから巻き取られていない前記ライナーの部分を巻取る巻取ロールとを備える転写装置であって、
カートリッジ受容空間を画成するハウジングと、
延長軸線に沿って前記ハウジングに対して直線移動するように、前記ハウジングに滑動可能に連結された延長部材と、
前記延長軸線に沿って前記延長部材に対して直線移動するように、前記延長部材に直線移動可能に連結され、前記カートリッジを上に取り付けるように構成されたカートリッジ支持体とを備える転写装置であって、
前記カートリッジ支持体、前記延長部材、および前記ハウジングは、前記カートリッジ支持体と前記延長部材が、以下の（ａ）、（ｂ）間、すなわち
（ａ）延長部材が延長軸線に沿ってハウジングの外側に延び、カートリッジ支持体が延長軸線に沿って延長部材から外側に延びて、カートリッジ支持体にカートリッジを装架できるような延長位置と、
（ｂ）カートリッジがカートリッジ支持体に装架される時、カートリッジ受容空間内でカートリッジが動作位置に動かされるように、延長部材とカートリッジ支持体がカートリッジ受容空間の内部に動かされる後退位置との間で移動できるように構成され且つ配設されている転写装置。
【請求項１２】
前記カートリッジが前記作動位置にある場合に、その上で調整される前記カートリッジの前記供給および巻取ロールの間に延びる前記ライナーの一部を有するように、装置上に設けられると共に、前記接着剤表面を前記ヘッドの上で調整されている前記ライナーの前記一部上の前記接着剤担持表面を前記目標基材に係合させ、前記接着剤を前記目標基材に結合させるように圧力を加えることによって、前記接着剤を目標基材に転写することを可能にするように設けられた塗布ヘッドをさらに備える請求項１１に記載された転写装置。
【請求項１３】
前記塗布ヘッドが前記カートリッジ支持体上に設けられる請求項１２に記載された転写装置。
【請求項１４】
前記カートリッジ支持体が、（ａ）前記の通り前記延長部に沿って直進運動するように前記延長部材に前記カートリッジ支持体を滑動可能に連結させるカートリッジ支持部と、（ｂ）前記延長軸線に沿って前記カートリッジ支持部に対して直線運動するように前記カートリッジ支持部に滑動可能に連結されるヘッド支持部とを含み、前記塗布ヘッドは前記ヘッド支持部上に設けられ、
前記延長軸線に沿って前記カートリッジ支持部に対する前記ヘッド支持部の直線運動により、（ａ）前記カートリッジ支持体および前記延長部材が前記延長位置にある場合、前記ヘッドを前記カートリッジ支持部に対して外側に移動させて、前記カートリッジを前記カートリッジ支持部に取り付けるのを簡単にすることが可能であり、（ｂ）前記カートリッジ支持体および前記延長部材が前記カートリッジ支持部上で前記カートリッジで前記後退位置まで移動されるので、前記ヘッドを前記カートリッジ支持部に対して内側に移動させて、前記カートリッジの前記供給ロールと前記巻取ロールの間に延びる前記ライナーの前記一部との前記ヘッドの係合を簡単にすることができる請求項１２に記載された転写装置。
【請求項１５】
前記ヘッド支持部は、前記ハウジングと係合し、前記延長部材および前記カートリッジ支持体が前記後退位置にある場合に、その一部を形成するように構成された端部キャップ部を有する請求項１４に記載された転写装置。
【請求項１６】
前記ハウジングは、前記延長部材および前記カートリッジ支持体がそこを通して、前記延長位置まで外側に移動され、前記後退位置まで内側に移動される前記延長軸線に沿ってカートリッジ受入開口部を有し、
前記端部キャップ部は、前記延長部材および前記カートリッジ支持体が前記後退位置にある場合に、前記受入開口部を閉じるように、前記カートリッジ受入開口部に対して相補的である請求項１５に記載された転写装置。
【請求項１７】
前記カートリッジ支持体は、前記ハウジングに係合し、前記延長部材および前記カートリッジ支持体が前記後退位置にある場合にその一部を形成するように構成された、端部キャップ部を有する請求項１１に記載された転写装置。
【請求項１８】
前記ハウジングは、前記延長部材および前記カートリッジ支持体がそれに沿って前記延長位置まで外側に移動され、前記後退位置まで内側に移動される前記延長軸線に沿ってカートリッジ受入開口部を有する請求項１７に記載された転写装置。
【請求項１９】
前記塗布ヘッドは、互いに間隔を置いて配置されたほぼ平行な軸周りに回転可能な複数のローラと、
装置の外側に面している転写装置を提供するように、前記複数のローラの周囲で調整された閉ループ・ベルトとを備え、
前記供給ロールと前記巻取ロールの間の前記ライナーの前記一部は、装置の外側に面している前記接着剤担持表面、および前記接着剤担持表面の反対側で前記ライナーの裏面表面を係合する前記ベルトの前記転写表面で、前記塗布ヘッド上に位置づけられ、
前記巻取ロール、前記供給ロール、および前記塗布ヘッドの前記複数のローラの回転により、前記塗布ヘッドの前記ローラの周囲で移動する前記ベルトでの前記供給ロールから前記巻取ロールまでの前記ライナーの前進を可能にして、前記塗布ヘッドの上の前記ライナーの移動を簡単にする請求項１２に記載された転写装置。
【請求項２０】
前記転写装置は無限長転写装置である請求項１１に記載された転写装置。
【請求項２１】
前記転写装置は無限長転写装置であり、前記転写装置はさらに、少なくとも前記巻取ロールに動作可能に連結され、前記ライナーの前進に作用する割り出し方法で前記巻取ロールを回転させるように構成された推進部材を備える請求項１１に記載された転写装置。
【請求項２２】
カートリッジ受容空間を画成するハウジングと、
長手方向軸線を備える本体、前記長手方向軸線上で前記本体に回転可能に取り付けられ、接着剤が上に与えられた接着剤担持表面を有する巻取長さのライナーを備える供給ロール、および前記供給ロールに対して間隔を置いた関係で、前記長手方向軸線上で前記本体に回転可能に取り付けられ、ライナーの少なくとも端部が結合されており、それによって、巻取方向に巻取ロールが回転すると、供給ロールから引き出された部分のライナーが巻取ロールに巻き取られるようになっている巻取ローラを備えるカートリッジと、
延長軸線に沿って前記ハウジングに対して直線運動をするように、前記ハウジングに滑動可能に連結された延長部材と、
前記延長軸線に沿って前記ハウジングに対して直線運動をするように、前記延長部材に滑動可能に連結され、上に前記カートリッジを取り付けるように構成されたカートリッジ支持体とを備える転写装置であって、
前記カートリッジ支持体、前記延長部材、および前記ハウジングは、（ａ）前記延長部材が前記延長軸線に沿って前記ハウジングの外側に延び、前記カートリッジ支持体が前記延長軸線に沿って前記延長部材から外側に延びて、前記カートリッジを前記カートリッジ支持体に取り付けることが可能な延長位置と、（ｂ）前記カートリッジが前記カートリッジ支持体に取り付けられる場合、前記カートリッジが前記カートリッジ受容空間内で動作位置に移動されるように、前記延長部材および前記カートリッジ支持体が前記カートリッジ受容空間内の内側に移動される後退位置の間に移動させることが可能なように構成され、配置されており、前記カートリッジは前記カートリッジ受容空間内の動作位置に移動される転写装置。
【請求項２３】
カートリッジを転写装置内に装填する方法であって、
前記カートリッジは、長手方向軸線を備える本体、前記長手方向軸線上で前記本体に回転可能に取り付けられ、接着剤が上に与えられた接着剤担持表面を有する巻取長さのライナーを備える供給ロール、および前記供給ロールに対して間隔を置いた関係で、前記長手方向軸線上で前記本体に回転可能に取り付けられ、ライナーの少なくとも端部が結合されており、それによって、巻取方向に巻取ロールが回転すると、供給ロールから引き出された部分のライナーが巻取ロールに巻き取られるようになっている巻取ローラを備え、
前記転写装置は、カートリッジ受容空間を画成するハウジングと、
延長軸線に沿って前記ハウジングに対して直線運動をするように、前記ハウジングに滑動可能に連結された延長部材と、
前記延長軸線に沿って前記ハウジングに対して直線運動をするように、前記延長部材に滑動可能に連結され、上に前記カートリッジを取り付けるように構成されたカートリッジ支持体とを備え、
前記カートリッジ支持体、前記延長部材、および前記ハウジングは、（ａ）前記延長部材が前記延長軸線に沿って前記ハウジングの外側に延び、前記カートリッジ支持体が前記延長軸線に沿って前記延長部材から外側に延びて、前記カートリッジを前記カートリッジ支持体に取り付けることが可能な延長位置と、（ｂ）前記カートリッジが前記カートリッジ支持体に取り付けられる場合、前記カートリッジが前記カートリッジ受容空間内で動作位置に移動されるように、前記延長部材および前記カートリッジ支持体が前記カートリッジ受容空間内の内側に移動される後退位置の間に移動させることが可能なように構成され、配置されており、前記カートリッジは前記カートリッジ受容空間内の動作位置に移動される方法であって、
前記カートリッジ支持体および前記延長部材を前記延長位置に対して前記ハウジングの外側に滑動させる段階と、
前記カートリッジを前記延長位置で前記カートリッジ支持体に取り付ける段階と、
前記カートリッジが前記カートリッジ受容空間内の動作位置に移動するように、前記カートリッジ支持体および前記延長部材を前記後退位置に前記ハウジングの前記カートリッジ受容空間内に内側に滑動させる段階とを含む方法。
【請求項２４】
さらに、前記ライナーを前記転写装置の塗布ヘッドの上に位置づける段階を含む請求項２３に記載された方法。
【請求項２５】
異なる種類の転写装置に取り付けるカートリッジにおいて、
上に接着剤を与えたライナーの供給部を上で巻き取る供給ロールと、
ライナーの少なくとも端部が結合されており、それによって、巻取方向に巻取ロールが回転すると、前記ライナーが巻取ロールに巻き取られるようになっている巻取ロールと、
前記供給ロールおよび前記巻取ロールを連結させるカートリッジ本体と、
（ａ）前記接着剤の反対側で前記ライナーと係合し、前記ライナーから目標基材まで限定長の接着剤を塗布するように構成された限定長転写表面と、（ｂ）前記接着剤の反対側で前記ライナーと係合し、前記ライナーから目標基材まで無限長の接着剤を塗布するように構成された無限長転写表面を有する塗布ヘッドとを備えるカートリッジであって、
前記塗布ヘッドは、前記限定長の転写表面の上に位置づけられ、前記カートリッジを作動位置で限定長接着剤転写装置に取外し可能に取り付け、接着剤を前記目標基材に転写することができる前記ライナーを有する限定的長さの転写位置まで移動可能であり、前記限定長接着剤転写装置は前記カートリッジを受けるように構成されたフレームと、前記限定長の転写表面に隣接してその限定長部分を位置決めするように、前記巻取および供給ロールに作用して前記ライナーを前進させるように構成された推進部材を備え、それによって前記限定的長さの転写表面が前記ライナーの前記限定的長さ部分を前記目標基材に対して押しつけ、前記限定長の接着剤を上に転写することが可能になり、
前記塗布ヘッドは、前記無限長の転写表面の上に位置づけられ、前記カートリッジを作動位置で無限長接着剤転写装置に取外可能に取り付け、接着剤を前記目標基材に転写することができる前記ライナーを有する無限長の転写位置まで移動可能であり、前記無限長接着剤転写装置は前記無限長転写表面に対して前記ライナーに係合し、前記無限長転写装置を前記目標基材に沿って移動させて所望長の接着剤を塗布することによって、無限長の接着剤をその上に転写するように、前記カートリッジを受けるように構成されたフレームとを備えるカートリッジ。
【請求項２６】
前記塗布ヘッドは、前記限定長転写位置と無限長転写位置の間で旋回可能である請求項２５に記載されたカートリッジ。
【請求項２７】
前記塗布ヘッドは、前記カートリッジに直接旋回可能に取り付けられている請求項２６に記載されたカートリッジ。
【請求項２８】
前記塗布ヘッドは、ほぼ三角形の構造を形成するように角隅部によって結合される３つの側部を有し、前記３つの側部の１つは前記限定長表面であり、前記限定長転写表面に対向する前記角隅部は、前記無限長転写表面を提供する請求項２７に記載されたカートリッジ。
【請求項２９】
前記無限長転写表面を与える前記少なくとも角隅部が丸みを与えられている請求項２８に記載されたカートリッジ。
【請求項３０】
前記カートリッジ本体が板状部材である請求項２５に記載されたカートリッジ。
【請求項３１】
前記板状部材はボール紙である請求項３０に記載されたカートリッジ。
【発明の詳細な説明】
【技術分野】
【０００１】
本出願は、２００３年１月２３日出願の米国仮特許出願第６０／４４１７３２号、および２００４年１月２２日出願の特許出願（出願番号未定）に基づく優先権を主張するものであり、その全記載内容を本明細書の記載として援用する。
【０００２】
本発明は、広義の概念で言えば、限定長転写装置および無限長転写装置に関するものである。
【背景技術】
【０００３】
接着剤をライナー（裏地材）から目標基材に塗布する各種接着剤転写装置が提供されていることは当業界で公知である。これらの装置は、巧妙であり、および／または、使い易いため、通常、糊スティックまたはスプレーの代わりに使用される。これらの装置は、（１）限定長転写装置、および、（２）無限長転写装置の２種類に分けることができる。
【０００４】
限定長転写装置は、「点」または限定長の接着剤を目標基材に塗布する。このような装置は、接着剤塗布ライナーの供給ロールおよび使用済みライナーを巻き取る巻取ロールを受けるように構成されたフレームと、位置づけ部材と、塗布ヘッドによって与えられる限定長の転写表面に隣接してその限定長部分を位置決めするように、位置づけ部材の作動の際に巻取ロールおよび供給ロールの回転に作用してライナーを前進させるように構成された推進部材とを含む。これにより、塗布装置の限定長転写表面がライナーの限定長部分を目標基材に押しつけ、限定長の接着剤を目標基材に転写することができる。限定長のみが塗布されるため、反復使用して、同一長の接着剤を各所で目標基材に塗布することができる。
【０００５】
限定長転写装置の一例が、米国特許第５３１６６１３号に開示されている。米国特許第５３１６６１３号は、スタンプと同様に、転写装置を表面に押しつけ、次いで表面から放すことを可能にする作動部材と推進手段とを含む限定長転写装置について説明している。表面から転写装置が放されると、接着剤を含むライナーが転写表面の距離だけ前進して新しい接着剤が露出し、転写装置は、次の目標表面に対してスタンプされる準備が整う。
【０００６】
無限長転写装置は、無限長の接着剤を塗布することが可能である。無限長転写装置は、通常、「走行器」と呼ばれる。このような装置は、接着剤が被着されたライナーの供給ロールおよび使用済みライナーを巻き取る巻取ロールを受けるように構成されたフレームを有する。塗布ヘッドが無限長転写表面を有し、該無限長転写表面は、目標基材に対してライナーを係合させ、所望長の接着剤を塗布するために目標基材に沿って無限長転写装置を動かして無限長の接着剤を目標基材上に転写することができる。すなわち、塗布される接着剤の長さは、目標基材に沿う装置の移動量によって決まる。限定長接着剤転写装置と同様に、塗布される接着剤の予め定まった長さはない。
【発明の開示】
【発明が解決しようとする課題】
【０００７】
本出願は、これらの種類の装置に各種の改良を加えるものである。
【課題を解決するための手段】
【０００８】
本発明の一観点による形態では、転写装置が、ハウジングと、ハウジングに回転可能に装架された供給ロールと、ハウジングに回転可能に装架された巻取ロールと、塗布ヘッドとを有する。供給ロールは、一巻の供給ライナーを担持する。ライナーは、接着剤が付された接着剤担持表面を有する。巻取ロールについては、巻取方向への巻取ロールの回転により、供給ロールから引き出された量のライナーを巻取ロールに巻きつけるべく、ライナーの少なくとも端部が該巻取ロールに結合されている。塗布ヘッドは、複数のローラと閉ループ・ベルトを含む。該複数のローラは、互いに間隔を置いたほぼ平行な軸線の周囲で回転可能である。閉ループ・ベルトは、転写装置の外側に向いた転写表面を設けるために前記複数のローラの周囲に装架されている。複数のローラが回転すると、ローラの周囲でベルトが走行できる。供給ローラと巻取ローラの間のライナーの一部は、接着剤担持表面が転写装置の外側を向いて塗布ヘッド上に位置づけられる。ベルトの転写表面は、接着剤担持表面の反対側でライナーの裏側表面と係合する。塗布ヘッドは装置上に設けられ、ベルト上に置かれたライナー部分の接着剤担持表面を目標基材と係合させ、圧力を加えて目標基材に係合させることによって、目標基材に接着剤を転写できるようになっている。巻取ロール、供給ロール、および複数のローラの回転により、塗布ヘッドのローラの周囲でベルトを動かしながら供給ロールから巻取ロールまでベルトを前進させて、塗布ヘッド上でのライナーの移動を簡単にすることができる。
【０００９】
本発明の別の観点による形態では、カートリッジと共に用いるための転写装置が提供される。カートリッジは、長手方向軸線を有する本体と、長手方向軸線上で本体に回転可能に装架された供給ロールとを含む。供給ロールは、接着剤が付与された接着剤担持表面を有する一巻きのライナーを含む。また、カートリッジは、供給ロールに対して間隔を置いた関係で長手方向軸線上で、本体に回転可能に装架された巻取ロールを含む。巻取ロールには、ライナーの少なくとも端部が結合されており、それによって、巻取方向に巻取ロールが回転すると、供給ロールから引き出された部分のライナーが巻取ロールに巻き取られる。転写装置は、ハウジングと延長部材とカートリッジ支持体とを含む。該ハウジングは、カートリッジ受容空間を画成する。延長部材は、延長軸線に沿ってハウジングに対して直線移動するようにハウジングに滑動可能に連結されている。カートリッジ支持体は、延長軸線に沿って延長部材に対して直線移動するように延長部材に滑動可能に連結されている。また、カートリッジ支持体は、カートリッジが装架されるようになっている。
【００１０】
カートリッジ支持体、延長部材、およびハウジングは、カートリッジ支持体と延長部材が、以下の（ａ）、（ｂ）間で移動できるように配設されている：
（ａ）延長位置：  延長部材が延長軸線に沿ってハウジングの外側に延び、カートリッジ支持体が延長軸線に沿って延長部材から外側に延びて、カートリッジ支持体にカートリッジを装架できるような延長位置。
（ｂ）後退位置：  カートリッジがカートリッジ支持体に装架される時、カートリッジ受容空間内でカートリッジが動作位置に動かされるように、延長部材とカートリッジ支持体がカートリッジ受容空間の内部に動かされる後退位置。
【００１１】
本発明の別の観点による形態では、転写装置が提供される。この転写装置は、カートリッジ受容空間を画成するハウジングと、カートリッジと、延長軸線に沿ってハウジングに対して直線移動するようにハウジングに滑動可能に取り付けられた延長部材と、延長軸線に沿って延長部材に対して直線移動するように延長部材に滑動可能に連結されたカートリッジ支持体とを含む。カートリッジ支持体は、カートリッジが装架されるように構成されている。カートリッジは、長手方向軸線を有する本体と、長手方向軸線上で本体に回転可能に装架される供給ロールと、供給ロールに対して間隔を置いた関係で長手方向軸線上で本体に回転可能に装架される巻取ロールとを含む。供給ロールは、接着剤が付与された接着剤担持表面を有する一巻のライナーを含む。巻取ロールには、ライナーの少なくとも端部が結合されており、それによって、巻取方向に巻取ロールが回転すると、供給ロールから引き出された部分のライナーが巻取ロールに巻き取られる。
カートリッジ支持体、延長部材、およびハウジングは、カートリッジ支持体と延長部材が、以下の（ａ）、（ｂ）間で移動できるように配設されている：
（ａ）延長位置：  延長部材が延長軸線に沿ってハウジングの外側に延び、カートリッジ支持体が延長軸線に沿って延長部材から外側に延びて、カートリッジ支持体にカートリッジを装架できるような延長位置。
（ｂ）後退位置：  カートリッジがカートリッジ支持体に装架される時、カートリッジ受容空間内でカートリッジが動作位置に動かされるように、延長部材とカートリッジ支持体がカートリッジ受容空間の内部に動かされる後退位置。
【００１２】
本発明の別の観点による形態では、転写装置内にカートリッジを装填する方法が提供される。カートリッジは、長手方向軸線を有する本体と、長手方向軸線上で本体に回転可能に装架される供給ロールと、供給ロールに対して間隔を置いた関係で長手方向軸線上で本体に回転可能に装架される巻取ロールとを含む。供給ロールは、接着剤が付与された接着剤担持表面を有する一巻のライナーを含む。巻取ロールには、ライナーの少なくとも端部が結合されており、それによって、巻取方向に巻取ロールが回転すると、供給ロールから引き出された部分のライナーが巻取ロールに巻き取られる。転写装置は、ハウジングと延長部材とカートリッジ支持体とを含む。該ハウジングは、カートリッジ受容空間を画成する。延長部材は、延長軸線に沿ってハウジングに対して直線移動するようにハウジングに滑動可能に連結されている。カートリッジ支持体は、延長軸線に沿って延長部材に対して直線移動するように延長部材に滑動可能に連結されている。また、カートリッジ支持体は、カートリッジが装架されるようになっている。
カートリッジ支持体、延長部材、およびハウジングは、カートリッジ支持体と延長部材が、以下の（ａ）、（ｂ）間で移動できるように配設されている：
（ａ）延長位置：  延長部材が延長軸線に沿ってハウジングの外側に延び、カートリッジ支持体が延長軸線に沿って延長部材から外側に延びて、カートリッジ支持体にカートリッジを装架できるような延長位置。
（ｂ）後退位置：  カートリッジがカートリッジ支持体に装架される時、カートリッジ受容空間内でカートリッジが動作位置に動かされるように、延長部材とカートリッジ支持体がカートリッジ受容空間の内部に動かされる後退位置。この方法は、カートリッジ支持体と延長部材をハウジングの外側で延長位置まで滑動させること、延長位置でカートリッジ支持体にカートリッジを装架すること、カートリッジ支持体と延長部材をハウジングのカートリッジ受容空間内で後退位置まで滑動させて、カートリッジ受容空間内の動作位置にカートリッジを動かすことを含む。
【００１３】
本発明の別の観点による形態では、異なる種類の転写装置に装架するためのカートリッジが提供される。カートリッジは、巻回されたライナーを有する供給ロールを含む。ライナーには、接着剤が付与されている。また、カートリッジは、巻取ロールの回転によってライナーが巻き取られるようにライナーの少なくとも端部が連結された巻取ロールと、供給ロールと巻取ロールを連結させるカートリッジ本体とを含む。さらに、カートリッジは塗布ヘッドを含み、該塗布ヘッドは、（ａ）接着剤の反対側でライナーと係合し、限定長の接着剤をライナーから目標基材に塗布するように構成された限定長転写表面と、（ｂ）接着剤の反対側でライナーと係合し、無限長の接着剤をライナーから目標基材に塗布するように構成された無限長転写表面とを有する。限定長転写表面上にライナーを位置づけるとともに、動作位置で目標基材に接着剤を転写するための限定長接着剤転写装置にカートリッジを取り外し可能に装架させて、限定長転写位置まで塗布ヘッドを動かすことができる。限定長接着剤転写装置は、カートリッジを受けるように構成されたフレームと、限定長転写表面に隣接してその限定長部分を位置づけるように、巻取ロールと供給ロールの回転に作用してライナーを前進させるように構成された推進部材とを含み、それによって限定長転写表面がライナーの限定長部分を目標基材に対して押しつけ、限定長の接着剤を目標基材に転写することができる。塗布ヘッドは、また、無限長転写表面上にライナーを位置づけるとともに、動作位置で目標基材に接着剤を転写するための無限長接着剤転写装置にカートリッジを取り外し可能に装架させて、無限長転写位置まで該塗布ヘッドを動かすことができる。無限長接着剤転写装置はフレームを含み、該フレームがカートリッジを受けるように構成され、もって無限長転写表面が目標基材に対してライナーを係合させ、無限長転写装置を目標基材に沿って動かして所望長さの接着剤を塗布することによって、無限長の接着剤を目標基材に転写させることができる。
【００１４】
本発明のその他の目的、特徴および利点は、以下の詳細な説明、添付図面および特許請求の範囲の記載から明らかになるだろう。
【実施例】
【００１５】
本発明の特徴が、本開示の一部を構成する図面に示されており、図中、同種部品に同種符号を付している。
【００１６】
図１は、接着剤を目標基材に塗布するための装置１を示す。装置１は、第１の転写装置２と、第２の転写装置３と、カートリッジ６０とを備えている。第１の転写装置１は、限定長転写装置または無限の転写装置でもよく、第２の転写装置３はもう一方のものである。これを説明する目的で、第１の転写装置１は図２、図４〜図７に示す無限長転写装置１０であり、第２の転写装置３は図２、図８〜図１９に示す限定長転写装置３０、３３０である。
【００１７】
異なる種類の転写装置の共通の特徴を次に説明する。簡単にするため、以下に説明する共通の特徴、および対応する図は、図４〜図７に示すように無限長転写装置１０を対象としている。これらの共通の特徴はまた、限定長転写装置３０の少なくとも一実施例にも存在し、このような共通の参照番号が使用されていることが理解されるだろう。図８、図９は、限定長転写装置３０内のこれらの特徴のいくつかを示している。
【００１８】
図４〜７に示すように、無限長転写装置１０は、ハウジング１２と、延長部材１２と、カートリッジ支持体１５と、カートリッジ支持体１５上のヘッド２０とを備えている。カートリッジ支持体１５は、カートリッジ支持部１６およびヘッド支持部１８を備える。
【００１９】
ハウジング１２は、第１の主ハウジング壁面２２、およびほぼ平らで、互いにほぼ平行である第２の主ハウジング壁面２４を備えている。２つの主ハウジング壁面２２、２４は長さおよび幅が、ハウジングのあらゆる他の壁面よりも大きい。主ハウジング壁面２２、２４は間隔を置いて配置され、それによって以下に説明する無限長転写装置１０の内部部品を装置１０内に含めることができ、また小型設計を提供することもできる。主ハウジング壁面２２、２４を、主ハウジング壁面２２、２４にほぼ垂直に配置された別個の壁面片によって連結することができる。主ハウジング壁面２２、２４はそれぞれ、主ハウジング壁面２２、２４の一部として一体形成されるほぼ垂直部分２３を含んでいることが好ましい。垂直部分２３は、ハウジング１２を組み立てる場合に、垂直部分２３が主ハウジング壁面２２、２４を互いに間隔を置いて配置する側部壁面を形成するように相互連結するように、互いに噛み合うように設計することができる。しかし、ハウジング１２は、あらゆる構成または構造をしていてもよく、本発明は図示したものに限定されないものとする。
【００２０】
図７に示すように、第１の主ハウジング壁面２２はさらに、ハウジング・トラック２６を備える。ハウジング・トラック２６は、無限の転写装置１０の延長軸線２８上に配置されている。ハウジング・トラック２６は、延長軸線２８に沿って配置された溝２７と、溝２７の両側に配置された２つのＬ字形経路２９とを備えていることが好ましい。
【００２１】
延長部材１４は、ハウジング・トラック２６により、延長軸線に沿ってハウジング１２に対して直線移動するようにハウジング１２に滑動可能に取り付けられている。延長部材１４は、ハウジング・トラック２６内で第１の主ハウジング壁面２２に沿って滑動可能である。これにより、以下に説明する無限の転写装置１０の内部機構を、無限の転写装置１０からハウジング１２を分解する必要なく、一定の距離だけ引っ張ることが可能になる。延長部材１４は、延長部材１４の下端部に配置された舌金（図示せず）を備える。舌金は、ハウジング・トラック２６の溝２７内に嵌合し、ガイドおよび止め具の両方として働く。延長部材１４はまた、延長部材１４をハウジング・トラック２６に沿って案内するように、ハウジング・トラック２６のＬ字形経路２９と滑動可能に係合する１対の切り欠き３５を備える。延長部材１４はさらに、延長トラック３６を備える。図示した実施例では、延長トラック３６は互いに内側に面している１対のスロット３７を含む。スロット３７は、延長軸線２８の両側に配置されており、延長部材１４に沿って実質的な長さ延びている。しかし、延長部材１４はあらゆる構成、または構造をしていてもよく、本発明は図示したものに限らないものとする。
【００２２】
カートリッジ支持部１６は、延長トラック３６により延長軸線２８に沿って延長部材１４に対して直線移動するように、延長部材１４に滑動可能に連結されている。図６に示す２つの舌金３９は、延長トラック３６のスロット３７に嵌合するように、延長軸線２８の両側でカートリッジ支持部１６上に配置されている。少なくとも１つの歯車支柱４０がカートリッジ支持部１６上に配置されている。２つの歯車支柱、第１の歯車支柱４０および第２の歯車支柱４４は、延長軸線２８に沿ってカートリッジ支持部１６の一側部に配置されていることが好ましい。第１の歯車支柱４０は、カートリッジ支持部１６の外側端部に向かって配置されている。歯車支柱４０、４４は、２つの歯車４８、５０を支柱４０、４４に回転可能に取り付け、互いに噛み合うことができるように、間隔を置いて配置されている。舌金６２は、ヘッド支持部１８用のトラックを作り出すように、延長軸線２８に沿って内側端部で、歯車支柱４０、４４としてカートリッジ支持部１６の同じ側に配置されている。しかし、カートリッジ支持部１６はあらゆる構成および構造をしていてもよく、本発明は図示したものに限らないものとする。
【００２３】
巻取歯車４８は、内側表面および外側表面を備えたハブ５２を含む。巻取歯車のハブ５２の内側表面は、第１の歯車支柱４０に回転可能に取り付けられている。同様に、供給歯車５０は、内側表面および外側表面を備えたハブ５６を含む。供給歯車のハブ５６の内側表面は、第２の歯車支柱４４に回転可能に取り付けられている。歯車支柱４０、４４および歯車４８、５０は、両方の歯車４８、５０の歯が互いに噛み合うような大きさをしている。これにより、一方の歯車の回転がもう一方の歯車の回転を駆動することが可能になり、逆もまた同じである。巻取歯車のハブ５２の外表面は、巻取ロール５４を受けるように設計されている。同様に、供給歯車のハブ５６の外表面は、供給ロール５８を受けるように設計されている。しかし、歯車４０、４４はあらゆる構成または構造をしていてもよく、本発明は図示したものに限るものではない。
【００２４】
ヘッド支持部１８は、下端部および上端部を備える。ヘッド支持部１８の一側部がカートリッジ支持部１６に接触する。ヘッド支持部１８の上端部には、端部キャップ部７４が延長軸線２８にほぼ垂直なように配置されている。無限長装置１０が完全に組み立てられると、端部キャップ部７４はハウジング１２に対して側壁面を形成する。端部キャップ部７４は、ヘッド支持部１８が無限の転写装置１０に完全に挿入された場合に、ハウジング１２内に配置された戻り止め８０に係合するフック７８を含む、１対の可撓性端部７６を備えている。スロット８２は、ヘッド支持部１８の上端部に向かって配置されている。スロット８２は、第１の歯車支柱４０を間隙嵌めするように、スロット８２に挿入することができるような寸法をしている。巻取歯車４８が第１の歯車支柱４０に回転可能に取り付けられると、ヘッド支持部１８は、カートリッジ支持部１６と接触するように配置され、巻取歯車４８によって定位置に保持されている。ヘッド支持部１８は、ヘッド支持部１８の下端部に向かって延長軸線２８に沿った溝を含む。溝は、カートリッジ支持部１６およびヘッド支持部１８が位置合せされた場合に、カートリッジ支持部１６上に配置される舌金６２と係合する。ヘッド２０は下端部が、ヘッド支持部１８上に配置されている。しかし、ヘッド支持部１８はあらゆる構成または構造をしていてもよく、本発明は図示したものに限らないものとする。
【００２５】
特定の設計、例えばヘッド２０の形状は、その上に配置される転写装置１０、３０の種類によるものである。図２は、無限長転写装置１０の例示的ヘッド２０ａを示し、図８、図９は、限定長転写装置３０の例示的ヘッド２０ｂを示している。
【００２６】
無限長転写装置１０のヘッド２０ａは、頂点が無限の転写装置１０の延長軸線２８上に配置されており、装置１０から外側に尖っているように、ほぼ三角形であってもよい。これにより、装置３０の延長軸線２８に対してある角度で無限長転写表面を作り出す。この設計により、使用者は接着剤を塗布するのにある角度に無限の転写装置１０を配置するように促される。図２、図４、図７に示すヘッド２０ａの一実施例は、ローラ２１を備えた、先端が切り取られた三角形を含んでいる。ローラ２１はヘッド２０ａ上に回転可能に取り付けられ、接着剤を基材上の所望の位置に塗布する際の助けとなるように大きな圧力を使用することができるように、より小さな表面を作り出す。ローラ２１は、目標基材とより良く一致することを可能にする軟質材料を含むことができる。これによりより均一な塗布が可能になる。ローラはまた、接着剤がローラに付かないように、シリコーンなどの非粘着表面を含むことが好ましい。しかし、ヘッド２０ａはあらゆる構成または構造をしていてもよく、本発明は図示したものに限らないものとする。
【００２７】
図８および９に示す限定長転写装置３０のヘッド２０ｂは、ヘッドの外側表面が装置３０の延長軸線２８にほぼ垂直な限定長転写表面を作り出すように、ほぼ矩形をしている。したがって、「貼り付けられる」接着剤の寸法は、ヘッドの外側表面より小さい可能性がある。しかし、ヘッド２０ｂはあらゆる構成または構造をしていてもよく、本発明は図示したものに限らないものとする。
【００２８】
図３、８、および９に示すように、限定長転写装置３０はまた、使用者が転写装置３０、それゆえ接着剤を所望の位置に配置し、接着剤が目標基材の上に適切に配置されるのを確実にする適切な量の力を加えることを可能にする位置づけ部材９６を備える。位置づけ部材９６は、力が転写装置３０に加えられない場合、図３に示すように通常位置まで戻るばね装填位置づけ部材であってもよい。しかし、位置づけ部材９６はあらゆる構成または構造をしていてもよく、本発明は図示したものに限らないものとする。
【００２９】
限定的な転写装置３０はまた、推進部材９８の作動の際に、巻取および供給ロール５４、５８の回転に作用するように構成され、推進部材９８および前進歯車９９を含む推進装置を備えていてもよい。これにより、その限定的長さ部分を限定長転写表面に隣接して位置決めするように、接着剤を含むライナーが前進する。図８および９に示すように図示した実施例では、推進部材９８は、前進歯車９９上に配置された歯と互いに噛み合う複数の歯を含んでいる。前進歯車９９は、供給歯車５０とカートリッジ支持部１６の間で、供給歯車５０が上に回転可能に取り付けられる同じ歯車支柱４４上に回転可能に取り付けられている。前進歯車９９は供給歯車５０と接触し、それによって前進歯車９９が一方向に回転すると、供給歯車５０も回転するが、前進歯車９９が反対方向に回転しても、供給歯車は回転しない（すなわち、一方向クラッチとして働く）。
【００３０】
推進部材９８を押し込むと、前進歯車９９が回転して、供給歯車５０を回転させ、ライナーを前進させる。推進部材９８が解放されると、前進歯車９９は初期位置に戻るが、供給歯車５０は回転しない。推進装置のこのような説明は、いかなる場合でも限定的ものとして解釈されるべきものではない。上記のように、使用者がライナーを手動で前進させる必要がない、より自動化した推進装置を使用することができることを理解されたい。例えば、前進歯車９９を位置づけ部材９６に結合することができ、それによって位置づけ部材９６の解放により前進歯車９９、それゆえ供給歯車５０を回転させる。したがって、推進部材９８および前進歯車９９を含む推進装置は、あらゆる構成または構造をしていてもよく、本発明は図示したものに限らないものとする。
【００３１】
限定長転写装置３３０の第２の実施例が、図１０〜図１９に示されている。図１０、図１８、図１９に示すように、限定長転写装置３３０は、主ハウジング本体３３２および取外可能なカバー３３４を備えている。カートリッジ６０が限定長転写装置３３０に取り付けられると、取外可能なカバー３３４を、主ハウジング本体３３２に固定することができる。図には示していないが、限定長転写装置３３０に関連して図示された取外可能なカバー３３４と同様の取外可能なカバーは、図２および４〜７に示す無限長転写装置１０に設けることもできる。
【００３２】
主ハウジング本体３３２は、背面部３３６および前面部３３８を含んでいる。前面部３３８は、装置３３０の組立中に背面部３３６上に圧入して、一体部を形成するように設計されている。第１の歯車支柱３４０および第２の歯車支柱３４２は、図１０に示すように、間隔を置いた関係で主ハウジング本体３３２の背面部３３６に取り付けられている。第１の歯車支柱３４０は第１の歯車３４４を受けるように構成されており、第２の歯車支柱３４２は第２の歯車３４６および第３の歯車３４８を受けるように構成されている。図示された実施例では、第１の歯車３４４はカートリッジ６０上に配置された巻取ロール５４を受けるように構成されており、第２の歯車３４６はカートリッジ６０上に配置された供給ロール５８を受けるように構成されている。以下にさらに論じるように、供給ロール５８はライナーの一巻の供給ライナーを含む。ライナーは、ライナーの一側部に配置された接着剤を含む。図示するように、第３の歯車３４８は、カートリッジ６０が限定長転写装置３３０に取り付けられる場合、供給ロール５８の反対側である第２の歯車３４６の側部に配置されている。
【００３３】
第３の歯車３４８は推進部材３５０に動作可能に連結されている。図１１に示すように、推進部材３５０は主ハウジング３３２の一側部に配置されており、主ハウジング３３２から外側に延びている。図示するように、推進部材３５０は、旋回点３５１で主ハウジング３３２の背面部３３６に連結されている。このように、推進部材３５０の外側端部が使用者によって押し下げられるので、推進部材３５０は旋回点３５１の周囲で内側に回転する。複数の歯３５２は、推進部材３５０の内側側部に配置されており、それによって第３の歯車３４８が第２の歯車支柱３４２上に配置されている場合、第３の歯車３４８と係合する。図１１〜１３に示すように、使用者が推進部材３５０を押し、その後推進部材３５０を解放すると、推進部材３５０が外側位置に戻るように、推進部材３５０を外側位置に偏倚させる偏倚部材３５４が設けられている。図１３はまた、推進部材３５０に取り付けることができる任意選択の成形片３８４を示している。成形片３８４は、推進部材３５０を作るのに使用される材料より柔らかい材料から成形されていることが好ましく、それによって使用者に追加の快適性およびグリップが与えられる。
【００３４】
図１６に示すように、第１の歯車３４４および第２の歯車３４６はそれぞれ、第１の歯車支柱３４０および第２の歯車支柱３４２上に回転可能に配置されており、それによってそれぞれの歯車３４４、３４６上に配置される歯が噛み合う。動作中、第２の歯車３４６の回転により、第１の歯車３４４が回転され、また逆も同様である。第２の歯車３４６は第２の歯車３４６および第３の歯車３４８が両方とも一緒に回転するように、第３の歯車３４８に連結されており、それによって推進部材３５０は第２の歯車３４６の回転に作用することが可能になる。しかし、以下にさらに説明するように、過剰の量の力が、例えば第２の歯車３４６上に加えられた場合、第２の歯車３４６および第３の歯車３４８は、２つの歯車３４６と３４８の間での滑りを可能にするように設計されている。第２の歯車３４６は第１の歯車３４４と噛み合うので、推進部材３５０はまた、第１の歯車３４４の回転に作用する。３つの歯車３４４、３４６、３４８の歯車比は、推進部材３５０が使用者によって完全に押し込まれた場合、供給ロール５８上に配置されたライナーが、転写表面３７１で新しい長さの接着剤を露出させるように前進させられ、転写表面３７１を通して移動したライナーが巻取ロール５４の上に巻き取られるようになっている。
【００３５】
図１０に戻ると、位置づけ部材３６０がまた設けられている。位置づけ部材３６０は一端部が、装置３３０に配置表面を提供するように、塗布ヘッド３７０（以下に論じる）に隣接して主ハウジング部３３２に連結されている。位置づけ部材３６０は、主ハウジング部３３２の背面部３３６と前面部３３８の間に配置されている。１対の取付支柱３６２が位置づけ部材３６０の各側に設けられている。１対の取付支柱３６２は、主ハウジング本体３３２の背面部３３６および前面部３３８の両方に取り付けられている。１対のばね３６４（１つだけ図示されている）が、１対の取付支柱３６２内に配置されている（各支柱につき１つのばね）。１対のばね３６４は、主ハウジング本体３３２から外側に非動作位置に位置づけ部材３６０を偏倚させる。限定長転写装置３３０が目標基材に対して押し下げられると、位置づけ部材３６０は上側および主ハウジング本体３３２内に移動し、それによって転写表面３７１は目標基材に接触することもできる。限定長転写装置３３０が目標基材から解放されると、位置づけ部材３６０は主ハウジング本体３３２から外側に延び、それによって転写表面３７１を保護する。
【００３６】
図１０、図１１に示すように、複数の支柱３７２が主ハウジング本体３３２の背面部３３６の下端部に配置され、塗布ヘッド３７０を支持するように構成されている。支柱３７２は、互いに間隔を置いて配置されるほぼ平行な軸を画成する。支柱３７２間の距離は、転写表面３７１の長さを画成する。ヘッド３７０は、複数の支柱３７２の周囲で回転可能な複数のローラ３７４を備えている。ローラ３７４はあらゆる形状および構成をしていてもよい。図示した実施例では、ローラ３７４はほぼ同じ寸法および構成をしている。図１４および１５により詳細に示すように、閉ループ・ベルト３７６は、転写表面３７１を提供するように、ローラ３７４の周囲で調整されている。転写表面３７１は装置３３０の外側に面しており、ローラ３７４の回転によりベルト３７６がローラ３７４の周囲で移動することが可能になる。供給ロール５８と巻取ロール５４の間のライナーの一部は、ベルト３７６の転写表面３７１がライナーの接着剤担持表面の反対側でライナーの裏面表面と係合するように、ヘッド３７０の上で調整されている。
【００３７】
ベルト３７６は、接着材料に抵抗し、凹凸のある表面と一致することが可能であるソフト・シリコーン、またはシリコーン状材料であることが好ましい。このように、ベルト３７６は目標基材と接触するので、転写表面３７１の最大面積が目標基材に接触する。ライナーは普通、シリコーン状材料でできている解放表面を有する。２つのシリコーン状材料が互いに接触すると、材料は互いに固着する傾向があることが分かった。ベルト３７６はローラ３７４の周囲で回転可能であるので、ライナーの移動によりベルト３７６が移動し、ローラ３７４を回転させ、それによってライナー上の張力が緩和される。すなわち、ベルト３７６を移動させることができるようにすることにより、ライナーがヘッド３７０に固着するのを防ぎ、それにより張力をライナー内に確立させる（巻取ロール５４の半径が大きくなるにつれて大きくなり、その後ライナー前進が推進部材３５０の各ストロークに対して増加される問題）。したがって、ベルト３７６の表面は、ライナー内に含まれる材料とほぼ同じ材料からなっていることが好ましく、両方の材料とも接着材結合に対して低い親和力を有する種類のものであることが好ましい。
【００３８】
ベルトの上で調整されたライナーの一部上の接着剤担持表面を目標基材に係合させ、接着剤を目標基材に結合させるように圧力を加えることによって、接着剤を目標基材に転写できるように、ヘッド３７０が装置３３０上に設けられている。巻取ロール５４が巻取方向に回転すると、ベルト３７６はローラ３７４の周囲で回転し、それによって新しい長さの接着剤を外側位置で転写表面３７１に沿って配置することが可能なように、ライナーの前進の助けとなる。
【００３９】
図１６および１７は、主ハウジング本体３３２の背面部３３６に取り付けられているヘッド３７０を示す。図示するように、ヘッド３７０を定位置に保持するのを助けるクリップ３７８も設けられている。クリップ３７８は、追加の安定性を提供するように、ローラ３７４内に挿入することができる突起（図示せず）を含むことができる。クリップ３７８は、ベルト３７６を必要に応じて取り換えることができるように、取り除くこともできる。
【００４０】
図は限定長転写装置３３０の一部としてのヘッド３７０を示しているが、ヘッド３７０は無限長転写装置上に取り付けることもできることを理解すべきである。このような場合、ローラ３７４およびベルト３７６が装置の長手中心線に対してあらゆる方向を向いている転写表面３７１を提供するように、ヘッド３７０を位置決めすることができる。塗布ヘッド３７０は、あらゆる構成または構造をしていてもよく、本発明は図示したものに限らないものとする。
【００４１】
図１８、図１９は、カートリッジ６０の主ハウジング３３２への取付を示している。カートリッジ６０の巻取ロール５４は第１の支柱３４０上に配置されており、カートリッジ６０の供給ロール５８は第２の支柱３４２上に配置されているが、ライナー（図示せず）はヘッド３７０の上で調整されている。カートリッジが主ハウジング本体３３２内に挿入されると、カバー３３４は主ハウジング本体３３２の上にスナップ嵌めすることができる。図はカートリッジを備えた実施例を示しているが、カートリッジの使用はいかなる場合においても限定的なものとして解釈されるべきではない。巻取ロールおよび供給ロールを第１の歯車３４４および第２の歯車３４６の上に直接設けることができ、カートリッジは限定長転写装置３３０を完全に動作させるのに必要ないことを理解されたい。
【００４２】
供給ロール５８および巻取ロール５４がそれぞれの歯車３４６、３４４に取り付けられると、ライナーはヘッド３７０の外側側部の上で調整され、カバー３３４は主ハウジング本体３３２に取り付けられており、限定長転写装置３３０は動作される準備ができている。動作中、使用者は位置づけ部材３６０の中心を目標表面の上に置き、位置づけ部材３６０を目標表面を囲む領域の上に置く。使用者は推進部材３５０を内側に押し、推進部材３５０を解放して、「新しい」接着剤を備えるライナーの一部が転写表面３７１に確実に隣接するようにする。使用者はその後、位置づけ部材３６０が主ハウジング本体３３２内にさらに移動することができず、ベルト３７６が目標基材に対してしっかり押されるように、限定長転写装置３３０をしっかり押し下げる。使用者はその後、限定長転写装置３３０を目標基材から離れるように持ち上げ、それによって接着剤を目標基材上に残したままにする。推進部材３５０をあらゆるときに押し下げることができ、限定長転写装置３３０は推進部材３５０が押し下げられている場合に、目標基材上の定位置になくてもよいことを理解されたい。
【００４３】
無限長転写装置１０および限定長転写装置３０、３３０は異なる結果を得るように、異なる方法で働くが、カートリッジ６０などの一般のカートリッジを図１に示すこの全体の装置の一部として使用することができる。図２０〜２３にさらに図示したカートリッジ６０の一実施例は、その上に巻き取られたライナー１００の供給部を有する供給ロール５８を含む。ライナー１００は、上に接着剤を備えている。接着剤は、ある応用例では乳液系アクリル永久接着剤であってもよい。接着剤はパターン化されていても、不均一でもよい。また、接着剤は両面接着剤タブであってもよい。
【００４４】
図２２に示すように、供給ロール５８は、ライナー１００が上で巻き取られる中心ハブ１０４を有する。ハブ１０４の一端部は、ハブ１０４をカートリッジ本体１１０に回転可能に取り付けることを可能にする、中にネック１０９を備えた間隙を画成するように、そこから僅かに離れて配置されたフランジ１０６を有する。ハブ１０４の反対側端部は、供給ロール５８の軸方向面を保護するより大きなフランジ１１２を有する。ハブ１０４の内部はほぼ円筒形をしている。しかし、図示した供給ロール５８は限定するものと考えられるべきではなく、あらゆる適切な構成または構造をしていてもよい。
【００４５】
巻取ロール５４は、巻取ロール５４がその上でライナー１００を巻き取るように、上に連結されたライナー１００の少なくとも一端部を有する。この連結は、巻取ロール５４の回転がその上でライナーを巻き取ることを可能にするあらゆる適切な方法で確立することができる。巻取ロール５４は、ライナー１００がその上で巻き取るハブ１１４と、供給ロール５８のハブ１０４上のフランジ１０６と同様のフランジ１１６とを有する。巻取ロールのフランジ１１６は、ハブ１１４から離れており、ハブ１１４をカートリッジ本体１１０に回転可能に取り付けることを可能にする、中にネック１１９で間隙を画成する。しかし、巻取ロール５４は、あらゆる構成または構造をしていてもよく、本発明は図示したものに限らないものとする。
【００４６】
図２３に示すように、カートリッジ本体１１０は供給ロール５８および巻取ロール５４を連結する。より詳細には、図示する実施例では、カートリッジ本体１１０は、ボール紙、プラスチック、またはあらゆる適切な材料でできている板状部材１２０を備えている。２つの切り欠き１２２、１２４が板状部材１２０内に形成されており、１つは部材の第１の端部で、１つは部材の中間にある。巻取ロール５４は、部材の第１の端部に配置された切り欠き１２２に回転可能に取り付けられており、供給ロール５８は、部材の中間に配置された切り欠き１２４に回転可能に取り付けられている。巻取ロール５４は切り欠き１２２内に係合するネック１１９によって切り欠き１２２に回転可能に取り付けられ、切り欠き１２２を画成する部材１２０の一部はフランジ１１６とハブ１１４の間に受け入れられる。供給ロール５８は切り欠き１２４内に係合するネック１０９によって切り欠き１２４に回転可能に取り付けられ、切り欠き１２４を画成する部材１２０の一部はフランジ１０６とハブ１０４の間に受け入れられる。
【００４７】
カートリッジ本体１１０はさらに、第１の端部の反対側で板状部材１２０の端部に配置された１対のガイド１２６を備えている。ガイド１２６は、板状部材１２０にほぼ垂直であり、その間に何れかの転写装置１０、３０のヘッド２０を嵌合するように間隔を置いて配置されている。ライナー１００は各ガイド１２６の外側表面の周りでねじ切られ、それによってライナー１００は供給ロール５８を離れ、１対のガイド１２６の周りを進み、巻取ロール５４の上で巻き取られる。
【００４８】
カートリッジ６０の設計により、同じカートリッジを何れの種類の転写装置１０、３０、３３０でも使用することが可能になる。これにより、製造者および流通業者は、より低い費用を可能にする１種類のみのカートリッジを提供することが可能になる。また、これにより使用者は、異なる種類の装置で使用する１つだけのカートリッジを購入することが可能になる。
【００４９】
カートリッジ６０の異なる種類の転写装置１０、３０への取付を次に論じる。完全閉位置にある何れかの転写装置１０、３０を始めとして、ヘッド支持部１８の端部キャップ部７４の可撓性端部７６は、フック７８を外すように互いに向かって絞られている。ヘッド支持部１８をその後、ハウジング１２から外側に引っ張ることができる。カートリッジ支持体１５および延長部材１４はまた、歯車４８、５０およびヘッド２０が完全に露出するように、ハウジング１２から外に完全に延びる。ヘッド支持部１８、カートリッジ支持部１６、および延長部材１４が完全に延びる順番は、３つの部材１８、１６、１４それぞれの間、および延長部材１４とハウジング・トラック２６の間の公差および摩擦による。例えば、延長部材１４とハウジング・トラック２６の間の公差が延長部材１４とカートリッジ支持部１６の間の公差より厳しくない場合、延長部材１４はカートリッジ支持部１６が延長部材１４に対して完全に延びる前に、ハウジング・トラック２６に対して完全に延びる。延長部材１４、カートリッジ支持部１６、およびヘッド支持部１８が完全に延ばされ、ヘッド２０が完全に露出されると、カートリッジ６０を装置１０、３０内に装填することができる。
【００５０】
カートリッジ６０を装填するため、板状部材１２０は歯車４８、５０から離れた方向を向いている。巻取ロール１１４および供給ロール１０４のハブはその後それぞれ、巻取歯車５２および供給歯車５６のハブと位置合せされ、定位置に押される。カートリッジ６０が次に取り付けられる。ヘッド支持部１８がカートリッジ支持部１６に対して延ばされているので、ヘッド２０は歯車４８、５０に向けて内側に移動され、ガイド１２６によって引き止められたライナー１００の一部はヘッド２０の上を簡単に通過することができる。
【００５１】
ヘッド支持部１８、カートリッジ支持部１６、および延長部材１４は次に、ハウジング１２内に滑動し戻すことができる。ヘッド支持部１８がカートリッジ支持部１６に対して滑動すると、ヘッド２０は転写表面が形成されるようにライナー１００に係合する。上に論じるように、延長部材１４、カートリッジ支持部１６、およびヘッド支持部１８がハウジング１２内に入る順序は、部材１４、１６、１８の間、および延長部材１４とハウジング１２の間の公差および摩擦による。延長部材１４、カートリッジ支持部１６、およびヘッド支持部１８がハウジング１２内側にある場合、端部キャップ部７４の可撓性端部７６が絞られ、端部キャップ部７４は、フック７８が戻り止め８０でハウジング１２と係合するように、ハウジング１２に向かって押し込められる。可撓性端部７６をその後、ヘッド支持部１８、カートリッジ支持部１６、および延長部材１４を定位置に係止するように、解放することができる。無限の転写装置１０、３０は使用する準備ができている。
【００５２】
カートリッジ６０を装填するため、上に論じる延長部材１４、カートリッジ支持部１６、およびヘッド支持部１８を完全に延ばす同じ過程が使用される。３つの部材１４、１６、１８がハウジング１２の外から完全に延ばされると、ライナー１００はヘッド２０と接触せず、カートリッジ６０は歯車４８、５０から簡単に持ち上げることができる。新しいカートリッジ６０をその後、上記のように歯車４８、５０の上に配置することができる、またはトレイ１４、１６、１８をカートリッジ６０のないハウジング１２内に滑動し戻すことができる。
【００５３】
旋回可能ヘッド２２０を備えるカートリッジ１６０の実施例を装填し、取り外すのに、上記の通り同様の過程を使用することができる。上記の過程と異なり、カートリッジ１６０を取り付けるときに、ライナー２００はヘッド２２０と既に係合している。
【００５４】
上に論じるように、カートリッジ６０を第２の実施例の限定長転写装置３３０に取り付けることは最初に、カバー３３４を主ハウジング本体３３２から取り外すことを必要とする。巻取ロール５４はその後、第１の歯車３４４に取り付けることができ、供給ロール５８は第２の歯車３４６に取り付けられている。ライナーはヘッド３７０の外側側部で通過され、転写表面３７１はライナーと接触する。カバー３３４はその後、主ハウジング本体３３２に再び取り付けられる。カートリッジ６０を装填するため、カバー３３４は最初主ハウジング本体３３２から取り外され、それによってカートリッジ６０が露出する。カートリッジ６０をその後取り外すことができる。
【００５５】
カートリッジ１６０の別の実施例が図２４〜図２８に示されている。カートリッジ１６０は、上に巻き取られたライナー２００の供給部を有する供給ロール１５８を備えている。ライナー２００は、上に説明するように、あらゆる種類であってもよい接着剤を上に備えている。
【００５６】
図２６に示すように、供給ロール１５８はライナー２００が上に巻き取られる中心ハブ２０４を有する。ハブ２０４の一端部は、ハブ２０４を以下に説明する方法でカートリッジ本体２１０に回転可能に取り付けることを可能にする、中にネック２０９で間隙を画成するように、そこから僅かに離れているフランジ２０６を有する。ハブ２０４の反対側端部は、供給ロール１５８の軸方向面を保護するより大きなフランジ２１２を有する。ハブ２０４の内部はほぼ円筒形をしている。しかし、図示した供給ロール１５８は限定するものと考えるべきではなく、あらゆる適切な構成または構造をしていてもよい。
【００５７】
巻取ロール１５４は、巻取ロール１５４の回転がその上でライナー２００を巻き取るように、上に連結されたライナー２００の少なくとも一端部を有する。このような連結は、巻取ロール１５４の回転によりその上のライナー２００を巻き取ることを可能にするあらゆる適切な方法で確立することができる。巻取ロール１５４は、ライナー２００がその上で巻き取られるハブ２１４と、供給ロールのハブ２０４上のフランジ２０６と同様のフランジ２１６とを有する。フランジ２１６は、ハブ２１４から離れて配置されており、ハブ２１４を以下に説明する方法でカートリッジ本体２１０に回転可能に取り付けることを可能にする、中にネック２１９で間隙を画成する。
【００５８】
カートリッジ本体２１０は、供給ロール１５８および巻取ロール１５４を連結する。より詳細には、図２８に示す図示した実施例では、カートリッジ本体２１０はボール紙、プラスチック、またはあらゆる適切な材料でできている板状部材である。３つの切り欠き２２２、２２４、２２６は、それぞれカートリッジ本体２１０の上縁部、側縁部、および下縁部に形成されている。巻取ロール１５４は、上縁部で切り欠き２２２に回転可能に取り付けられ、供給ロール１５８は側縁部で切り欠き２２４に取り付けられ、以下に論じ、その上でライナー２００が調整される塗布ヘッド２２０は、下縁部で切り欠き２２６に旋回可能に取り付けられている。巻取ロール１５４は、切り欠き２２２内に係合するネック２１９によって切り欠き２２２に回転可能に取り付けられ、切り欠き２２２を画成する本体２１０の一部はフランジ２１６とハブ２１４の間に受け入れられる。供給ロール１５８は、切り欠き２２４内に係合するネック２０９によって切り欠き２２４に回転可能に取り付けられ、切り欠き２２４を画成する本体２１０の一部はフランジ２０６とハブ２０４の間に受け入れられる。
【００５９】
カートリッジ１６０はさらに、塗布ヘッド２２０を備える。ヘッド２２０は、中にネック２３２で間隙を画成するように、そこから離れたフランジ２３０を有する。ヘッドは、切り欠き２２６内に係合するネック２３２によって切り欠き２２６に旋回可能に取り付けられ、切り欠き２２６を画成する本体２１０の一部はフランジ２３０とヘッド２２０の間に受け入れられる。ヘッド２２０は少なくとも２つの転写表面を有する。これらの転写表面は、（ａ）接着剤の反対側でライナー２００と係合し、限定長の接着剤をライナー２００から目標基材に塗布するように構成された限定長転写表面２３４と、（ｂ）無限長の接着剤をライナー２００から目標基材に塗布するように構成された無限長転写表面２３６とを含む。示すように、塗布ヘッド２２０は、ほぼ三角形の構成を形成するように、隅部によって結合される３つの側部を有する。３つの側部の１つは、限定長転写表面２３４であり、その表面と反対側の隅部は無限長転写表面２３６を提供する。図示された実施例では、無限長転写表面２３６を提供する隅部は僅かに丸みを帯びている。しかし、塗布ヘッド塗布ヘッド２２０はあらゆる適切な構成または構造をしていてもよく、あらゆる適切な方法でカートリッジ本体２１０に直接的または間接的に取り付けることができることを理解すべきである。
【００６０】
カートリッジ１６０を様々な種類の装置で使用することができるように、塗布ヘッドは異なる位置の間で取り外し可能である。図示する実施例では、塗布ヘッド２２０は、ライナー２００が限定長転写表面２３４の上で調整され、カートリッジ１６０を動作位置で限定長接着剤転写装置３０に取外可能に取り付けて、接着剤を目標基材に転写することを可能にする、限定長転写位置（図１２〜１５に示す）まで旋回することによって、取り外し可能である。この位置により、塗布ヘッド２２０の限定長転写表面２３４がライナー２００の限定長部分を目標基材に対して押しつけ、限定的長さの接着剤をその上に転写することを可能にする。目標基材に対して押しつけられたライナー２００の長さ、およびその上の接着剤転写の長さは、限定長転写表面２３４の長さによって全体的に画成される。
【００６１】
同様に、塗布装置２２０をライナー２００が無限長転写表面２３６の上で調整され、カートリッジ１６０を動作位置で無限長転写装置１０に取外可能に取り付けて、接着剤を目標基材に転写することを可能にする無限長転写位置まで旋回させることができる。この位置により、塗布ヘッド２２０の無限長転写表面２３６が、ライナー２００の無限長部を目標基材に対して押しつけ、無限長の接着剤をその上に転写することが可能になる。
【００６２】
上記転写装置１０、３０、３３０の種類の両方の特定の設計のヘッド２０ａ、２０ｂ、３７０を、旋回ヘッド型カートリッジ１６０を受けることができるように、変更することができる。また、カートリッジ６０、１６０は、あらゆる構成または構造をしていてもよく、本発明は図示したものに限定されないものとすることを理解されたい。
【００６３】
本発明の好ましい実施例を示し、説明したが、本明細書に記載された好ましい実施例の精神および範囲内にある変更形態および変形形態が可能であることは明らかである。
【００６４】
方向に対するあらゆる言及は、図面を見る際の利便性のためであり、装置を特定の方向で使用されるものとして、そうでなければ限定するものとして特徴付けるものではないことを理解されたい。
【図面の簡単な説明】
【００６５】
【図１】左側に無限長転写装置と、中間にカートリッジと、右側に限定長転写装置とを備える、本発明の一実施例の転写装置の正面図である。
【図２】閉位置にある、図１の無限長転写装置の正面図である。
【図３】閉位置にある、図１の限定長転写装置の側部斜視図である。
【図４】開位置にある、図２の無限長転写装置の斜視図である。
【図５】開位置にある、図２の無限長転写装置の側面図である。
【図６】開位置にある、図２の無限長転写装置の後面図である。
【図７】図１のカートリッジと共に、図２の無限長転写装置の展開図である。
【図８】カートリッジがなく、ハウジングの一部が取り除かれ、位置づけ部材が上位置にある、図３の無限の転写装置の底部斜視図である。
【図９】複数の歯車が取り除かれた、図８の限定長転写装置の側部斜視図である。
【図１０】カートリッジを備えた、限定長転写装置の別の実施例の展開図である。
【図１１】ある部品が取り除かれた、図１０の限定長転写装置の正面図である。
【図１２】図１１の限定長転写装置の推進部材の側部斜視図である。
【図１３】図１２の展開図である。
【図１４】図１０の限定長転写装置の塗布ヘッドの展開図である。
【図１５】図１４のヘッドの組立図である。
【図１６】ある部品が取り除かれた、図１０の限定長転写装置の側部斜視図である。
【図１７】図１６の一部の拡大図である。
【図１８】カートリッジおよびカバーが取り除かれた、図１０の限定長転写装置を示す図である。
【図１９】カートリッジが転写装置に取り付けられ、カバーが取り除かれた、図１８の限定長転写装置およびカートリッジの側部斜視図である。
【図２０】転写装置用のカートリッジの一実施例の側部斜視図である。
【図２１】図２０のカートリッジの正面図である。
【図２２】図２１の断面ＸＸＩＩ−ＸＸＩＩの断面図である。
【図２３】図２０のカートリッジの展開図である。
【図２４】転写装置用のカートリッジの別の実施例の底部斜視図である。
【図２５】図２４のカートリッジの正面図である。
【図２６】図２５の断面ＸＸＶＩ−ＸＸＶＩの断面図である。
【図２７】図２４のカートリッジの後部斜視図である。
【図２８】図２７のカートリッジの展開図である。
【図１】
2006516931.tif 000003
【図２】
2006516931.tif 000004
【図３】
2006516931.tif 000005
【図４】
2006516931.tif 000006
【図５】
2006516931.tif 000007
【図６】
2006516931.tif 000008
【図７】
2006516931.tif 000009
【図８】
2006516931.tif 000010
【図９】
2006516931.tif 000011
【図１０】
2006516931.tif 000012
【図１１】
2006516931.tif 000013
【図１２】
2006516931.tif 000014
【図１３】
2006516931.tif 000015
【図１４】
2006516931.tif 000016
【図１５】
2006516931.tif 000017
【図１６】
2006516931.tif 000018
【図１７】
2006516931.tif 000019
【図１８】
2006516931.tif 000020
【図１９】
2006516931.tif 000021
【図２０】
2006516931.tif 000022
【図２１】
2006516931.tif 000023
【図２２】
2006516931.tif 000024
【図２３】
2006516931.tif 000025
【図２４】
2006516931.tif 000026
【図２５】
2006516931.tif 000027
【図２６】
2006516931.tif 000028
【図２７】
2006516931.tif 000029
【図２８】
2006516931.tif 000030
【国際調査報告】
2006516931.tif 000031
2006516931.tif 000032
2006516931.tif 000033
2006516931.tif 000034
2006516931.tif 000035